(57)【要約】【課題】雌刃装置が破損した場合であっても雌刃装置全体を交換することなく破損した部分のみを交換可能にする。【解決手段】デッキプレートの製造に際して、互いに折り重ねられた金属板同士をかしめる回転型の雄刃装置に対して金属板を挟んで先端部が対向して配置される固定型の雌刃装置（１）であって、デッキプレートの製造設備の支持部に固定される本体（１１）と、互いに分離自在に連結されて雄刃装置の刃部と共に金属板を切り出す一対の刃部（２１，２２）とを備える。【選択図】図１
2018126772.tif 000002
【特許請求の範囲】
【請求項１】
デッキプレートの製造に際して、互いに折り重ねられた金属板同士をかしめる回転型の雄刃装置に対して前記金属板を挟んで先端部が対向して配置される固定型の雌刃装置であって、
前記デッキプレートの製造設備の支持部に固定される本体と、
互いに分離自在に連結されて前記雄刃装置の刃部と共に前記金属板を切り出す一対の刃部と、を備える
ことを特徴とする雌刃装置。
【請求項２】
前記一対の刃部は、前記本体と一体に形成されている第１刃部と、前記本体に分離自在に連結されている第２刃部とを備えることを特徴とする請求項１に記載の雌刃装置。
【請求項３】
前記一対の刃部は、前記本体に分離自在に連結される第１刃部及び第２刃部を備えることを特徴とする請求項１に記載の雌刃装置。
【請求項４】
前記第２刃部は、回転する前記雄刃装置の前記刃部が通過する空間を形成するように前記第１刃部に対して離間して前記本体に連結されていることを特徴とする請求項２又は３に記載の雌刃装置。
【請求項５】
前記本体は、前記先端部の側に前記第２刃部を収容する収容部を備え、前記第２刃部は、前記先端部の側に前記第１刃部との間で前記空間を形成する切欠き部を備えることを特徴とする請求項４に記載の雌刃装置。
【発明の詳細な説明】
【技術分野】
【０００１】
本発明は、回転型の雄刃装置に対向して配置される雌刃装置に関する。
【背景技術】
【０００２】
従来、鉄筋コンクリート床材等として用いられるデッキプレートが知られている。デッキプレートは、一枚の金属板を曲げ成形して平板部と、この平板部の複数箇所にそれぞれ長手方向に平行な直線状の板部分を二重にした垂直ウェブ部（板合わせ部）と、この垂直ウェブ部の下端に連続する横断面三角形状のフランジ部とを備えた補強リブを有する（例えば、特許文献１参照。）。
補強リブの板合わせ部は、デッキプレートにコンクリートを打設した際に、そのコンクリートの重量により拡開して変形することがあり、板合わせ部の拡開を防止する必要がある。そのために、デッキプレートの製造工程において補強リブを挟んで互いに対向して配置された回転型の雄刃装置（かしめ装置）及び固定型の雌刃装置によって、板合わせ部の二重の板合わせ部分を切り出して連結している。
【０００３】
図７に示すように、雄刃装置に向かい合う従来の雌刃装置１００の先端部（刃部）１１０には、雄刃装置の刃部が通過する通路（溝部）１１１が形成されている。雄刃装置に設けられた刃部は、雌刃装置１００の先端部１１０における通路１１１を通過することで二重の金属板の一部を短冊状に押して切り出してかしめていく。切り出された部分は、デッキプレートの搬送方向において下流側で、補強リブを挟むようにして対向して配置された一対の潰しローラによって潰される。
【先行技術文献】
【特許文献】
【０００４】
【特許文献１】実開昭６０−８９３２５号公報
【発明の概要】
【発明が解決しようとする課題】
【０００５】
ところで、雌刃装置１００の刃部１１０は、雄刃装置の刃部が雌刃装置１００の通路１１１を通過する際に当該雄刃装置の刃部と接触して破損することがある。雌刃装置１００の刃部１１０が破損した場合、二重の金属板の切り出しは所望の形状で行われなくなるため、破損した雌刃装置１００を交換する必要がある。
しかしながら、従来の雌刃装置１００は、雄刃装置の刃部との接触により一部が破損した場合であっても全体を交換する必要があり、雌刃装置１００に対する補修・交換コストを抑えたいという要望があった。
【０００６】
そこで、本発明は、上記課題に鑑みてなされたものであり、雌刃装置が破損した場合であっても雌刃装置全体を交換することなく破損した部分のみを交換可能にした雌刃装置を提供することを目的とする。
【課題を解決するための手段】
【０００７】
上記課題を解決するために、本発明は、デッキプレートの製造に際して、互いに折り重ねられた金属板同士をかしめる回転型の雄刃装置に対して前記金属板を挟んで先端部が対向して配置される固定型の雌刃装置であって、前記デッキプレートの製造設備の支持部に固定される本体と、互いに分離自在に連結されて前記雄刃装置の刃部と共に前記金属板を切り出す一対の刃部と、を備えることを特徴とする。
【０００８】
また、前記一対の刃部は、前記本体と一体に形成されている第１刃部と、前記本体に分離自在に連結されている第２刃部とを備えることが好ましい。
【０００９】
また、前記一対の刃部は、前記本体に分離自在に連結される第１刃部及び第２刃部を備えることが好ましい。
【００１０】
また、前記第２刃部は、回転する前記雄刃装置の前記刃部が通過する空間を形成するように前記第１刃部に対して離間して前記本体に連結されていることが好ましい。
【００１１】
また、前記本体は、前記先端部側に前記第２刃部を収容する収容部を備え、前記第２刃部は、前記先端部側に前記第１刃部との間で前記空間を形成する切欠き部を備えることが好ましい。
【発明の効果】
【００１２】
本発明によれば、雌刃装置が破損した場合であっても、雌刃装置全体を交換することなく破損した部分のみを交換することができ補修・交換コストを抑えることができる。
【図面の簡単な説明】
【００１３】
【図１】第１の実施の形態に係る雌刃装置の斜視図である。
【図２】図１に示す雌刃装置の本体の構成を説明するための図である。
【図３】図１に示す雌刃装置の第２刃部の構成を説明するための図である。
【図４】第１の実施の形態に係る雌刃装置を用いたデッキプレート製造設備を部分的に示す斜視図である。
【図５】第２の実施の形態に係る雌刃装置を説明するための図である。
【図６】図５に示す雌刃装置の本体、第１刃部及び第２刃部の構成を説明するための図である。
【図７】従来の雌刃装置を示す図である。
【００１４】
本発明の好ましい実施の形態について、図面を参照しながら説明する。なお、以下に示す実施の形態は一つの例示であり、本発明の範囲において、種々の形態をとりうる。
【００１５】
＜第１の実施の形態＞
図１は、第１の実施の形態に係る雌刃装置の斜視図である。図２は、図１に示す雌刃装置の本体の構成を説明するための図であり、図２（ａ）は、本体の斜視図であり、図２（ｂ）は、本体を図２（ａ）におけるII(b)方向から見た平面図である。図３は、図１に示す雌刃装置の第２刃部の構成を説明するための図であり、図３（ａ）は、第２刃部の斜視図であり、図３（ｂ）は、第２刃部を図３（ａ）におけるIII(b)方向から見た平面図である。
なお、説明の便宜上、雌刃装置１の長手方向を「ｌ」、幅方向を「ｗ」、厚さ方向を「ｄ」とする。
【００１６】
雌刃装置１は、デッキプレート８の製造設備の所定の支持部（図示せず）に固定され、回転型の雄刃装置（かしめ装置）３と協働してデッキプレート８の金属板を短冊状に押し切り出すものである（図４参照。）。
図１に示すように、雌刃装置１は、製造設備の所定の支持部に固定される本体１１と、互いに分離自在に連結されて雄刃装置３の刃部３２と共に金属板を切り出す一対の刃部２１，２２とを備える。刃部２１，２２は、回転する雄刃装置３の刃部３２が通過する空間１ｓを形成するように雌刃装置１の先端部において互いに離間して設けられている。
一対の刃部２１，２２のうち、一方の刃部２１は、本体１１に一体に形成された第１刃部２１であり、他方の刃部２２は、本体１１に対して分離自在に連結された第２刃部２２である。
【００１７】
図２に示すように、本体１１は、平面視略矩形状で鋼により形成されていて雌刃装置１の主要な構成体である。本体１１は、雄刃装置３と対向する先端部に本体１１をその厚さ方向に一部切り欠いて形成した、第２刃部２２を収容する収容部１２を有する。
本体１１は、雌刃装置１の長手方向ｌにおいて収容部１２とは反対側の本体１１の端部に、本体１１を製造設備に固定するためのネジ等の螺合具（図示せず）が挿通される孔１１ａを備える。螺合具が挿入される孔１１ａｈの挿入側には、螺合具の頭部を収容する座ぐり部が形成されている。図示の実施の形態では、孔１１ａは、本体１１の厚さ方向ｄに貫通して同心環状に４つ形成されているが、孔１１ａの数、配置位置は自由に設定可能である。
本体１１はその先端部に、収容部１２に向かって面取りされて収容部１２側において鋭角をなすエッジとして形成された第１刃部２１を一体に備える。
収容部１２は、雌刃装置１の長手方向ｌ及び幅方向ｗに沿って延びる面１２ａと、雌刃装置１の厚さ方向ｄ及び幅方向ｗに沿って延びる面１２ｂとを有する。面１２ａと面１２ｂとはほぼ直角をなしている。面１２ａには、雌刃装置１の幅方向ｗに並んで形成された２つの孔１２ａｈが形成されている。
孔１２ａｈの内周面にはネジ山が形成されている。孔１２ａｈには、本体１１に第２刃部２２を連結するためのネジ等の螺合具Ｓ（図１に先端のみ示す。）が挿入される。なお、図示の実施の形態では２つの孔１２ａｈが形成されているが、孔１２ａｈの数、配置位置は自由に設定可能である。
また、本体１１の中央には、製造設備の支持部に取り付けられる側において長手方向ｌに沿った突部１３を有する。突部１３は、製造設備の支持部に形成された凹部（図示せず。）に嵌まる。
【００１８】
第２刃部２２は、平面視略矩形状で鋼により形成されている。第２刃部２２は、本体１１の収容部１２に収容される厚さを有する。図３に示すように、第２刃部２２は、回転する雄刃装置３の刃部３２が通過する空間１ｓを本体１１の第１刃部２１との間に形成する切欠き部２３を有する。第２刃部２２の先端部は、切欠き部２３に向かってＲ面取りされており、切欠き部２３側においてエッジとして形成されている。
第２刃部２２は、切欠き部２３とは反対側の端部に、厚さ方向ｄに貫通して幅方向ｗに並んで形成された２つの孔２２ａｈを備える。第２刃部２２が本体１１の収容部１２に設置された場合、孔２２ａｈは孔１２ａｈと整合して第２刃部２２を本体１１に連結するためのネジ等の螺合具Ｓが挿通される。螺合具Ｓが挿入される孔２２ａｈの挿入側には螺合具Ｓの頭部を収容する座ぐり部が形成されている。なお、図示の実施の形態では２つの孔２２ａが形成されているが、孔２２ａの数、配置位置は自由に設定可能である。
【００１９】
切欠き部２３は、雌刃装置１の長手方向ｌ及び幅方向ｗに沿って延びる面２３ａと、雌刃装置１の厚さ方向ｄ及び幅方向ｗに沿って延びる面２３ｂとを有する。第２刃部２２の面２３ａは、本体１１の第１刃部２１、具体的には収容部１２の面１２ａとの間に空間１ｓを形成する。第２刃部２２の面２３ｂは、雌刃装置１の幅方向ｗに沿って所定の曲率をもって湾曲して形成されている。
【００２０】
＜雌刃装置１の適用例＞
次に、図４を用いてデッキプレート８の製造設備における雌刃装置１の適用例を説明する。図４は、雌刃装置１を備えたデッキプレート８の製造設備を部分的に示す斜視図である。
製造設備において雌刃装置１は、デッキプレート８の製造に際して、互いに折り重ねて曲げられた金属板同士をかしめる回転型の雄刃装置３に対して金属板を挟んで対向して配置されている。雄刃装置３は、ローラ３１と、当該ローラ３１の外周面に刃部３２とを備え、搬送方向Ｔに搬送されるデッキプレート８の金属板を雌刃装置１と協働して短冊状に切り出す。具体的には、刃部３２がローラ３１と共に搬送方向Ｔに対向する方向Ｒ１に回転しながら雌刃装置１の空間１ｓに進入することで、デッキプレート８の金属板が雌刃装置１の空間１ｓ内に短冊状に押し切り出される。
デッキプレート８の搬送方向Ｔにおいて下流側には、補強リブ８１を挟んで一対の潰しローラ４０が対向して配置されている。雄刃装置３２によって切り出された板部分は、搬送方向Ｔに対向する方向Ｒ２に回転する潰しローラ４０によって潰される。これにより、板合わせ部は、互いに拡開しないように連結され、補強リブ８１が形成される。
【００２１】
デッキプレート８の金属板を切り出す場合、回転する雄刃装置３の刃部３２が雌刃装置１に接触して雌刃装置１を破損させることがある。図７に示す従来の雌刃装置１００においては、雌刃装置１００が部分的に破損した場合であっても雌刃装置１００全体を交換しなければならなかった。
これに対して、雌刃装置１においては、本体１１と第２刃部２２とは分離自在に互いに連結されているので、雌刃装置１が部分的に破損した場合には、破損した部分、例えば、本体１１又は第２刃部２２のいずれかを交換するだけでよく、雌刃装置１全体を交換する必要はない。
また、雌刃装置１は、雄刃装置３との接触により第２刃部２２が破損することがあるが、第２刃部２２は、本体１１に連結されているだけなので、破損した第２刃部２２を交換するだけで雌刃装置１全体を交換する必要はない。
【００２２】
＜第２の実施の形態＞
次に、図５及び図６を用いて、第２の実施の形態に係る雌刃装置５について説明する。以下では、第１の実施の形態に係る雌刃装置１と異なる部分についてのみ説明し、雌刃装置１と同じ構成については、同一符号を付して説明を省略する。
図５は、第２の実施の形態に係る雌刃装置を説明するための図である。図６は、図５に示す雌刃装置の本体、第１刃部及び第２刃部の構成を説明するための図であり、図６（ａ）は、本体を下方から見た図及び本体の側面図であり、図６（ｂ）は、第１刃部の平面図及び側面図であり、図６（ｃ）は、第２刃部を下方から見た図及び第２刃部の側面図である。
図５に示すように、雌刃装置５は、それぞれ別体の本体１１と、第１刃部５１と、第２刃部２２とを備える。
【００２３】
図６（ａ）に示すように、本体１１の収容部１２は、幅方向ｗの両端部に傾斜面１２ｃを備える。傾斜面１２ｃは、長手方向ｌに沿う本体１１の側面１１ｓから面１２ｂに向かって斜めに延びている。収容部１２の面１２ａには、１つの孔１２ａｈが形成されている。
【００２４】
図６（ｂ）に示すように、第１刃部５１は、鋼により形成されている平面視略矩形の板状部材である。第１刃部５１は、本体１１と第２刃部２２との間に挟まれて連結される。第１刃部５１の先端部５１ａは、本体１１の収容部１２に収容された状態において、雄刃装置３と対向する先端部が本体１１の先端部よりも少し突出している（図１参照。）。
第１刃部５１は、本体１１の収容部１２に収容された状態において、第２刃部２２を臨む先端部５１ａ側の面において空間１ｓを形成するように第２刃部２２の面２３ａと対向している。
第１刃部５１の先端部５１ａとは反対側の後端部５１ｂの側には、第１刃部５１を厚さ方向ｄに貫通した１つの孔５１ｂｈを備える。また、後端部５１ｂにおける両角部は、面取りされた傾斜面５２を有する。第１刃部５１が本体１１の収容部１２に収容された状態において、傾斜面５２は、本体１１の傾斜面１２ｃと当接している。
【００２５】
第２刃部２２の切欠き部２３とは反対側の端部は、幅方向ｗの両角部において面取りされた傾斜面２４を有する。第２刃部２２が本体１１の収容部１２に収容された状態において、第２刃部２２の傾斜面２４は、本体１１の傾斜面１２ｃと面接触している。また、第２刃部２２の切欠き部２３とは反対側の端部は、厚さ方向ｄに貫通した１つの孔２２ａを備える。
【００２６】
雌刃装置５は、雌刃装置１と少なくとも同じ作用、効果を奏する。雌刃装置５においては、本体１１と第２刃部２２との間に別体の第１刃部５１が設けられている。かくして、雄刃装置３の刃部３２との接触により本体１１が損傷することが確実に防がれると共に、第１刃部５１のみの交換も可能になる。また、雌刃装置５においては、本体１１の傾斜面１２ｃ、第１刃部５１の傾斜面５２及び第２刃部２２の傾斜面２４の存在により、互いの組付け時の位置決めが容易になる。
【符号の説明】
【００２７】
１，５  雌刃装置
１ｓ  空間
１１  本体
１２  収容部
２１，５１  第１刃部
２２  第２刃部
２３  切欠き部
３  雄刃装置
３１  ローラ
３２  刃部
８  デッキプレート
【図１】
2018126772.tif 000003
【図２】
2018126772.tif 000004
【図３】
2018126772.tif 000005
【図４】
2018126772.tif 000006
【図５】
2018126772.tif 000007
【図６】
2018126772.tif 000008
【図７】
2018126772.tif 000009